【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
マクロマーであって、
シロキサン骨格と；
該シロキサン骨格に結合した、重合性官能基を含むグラフトとを含み；
該マクロマーを少なくとも部分的に親水性にするのに十分な濃度の親水性基を含むグラフトを含み、
該マクロマーが、下記式（１）である、マクロマー。
【化１】
2016512566.tif 000001
［式中、Ｍは親水性基またはセグメントであり；Ｌは親水性または疎水性連結であり；Ｎは親水性もしくは疎水性基または親水性もしくは疎水性セグメントである。Ｑは重合性官能基であり；ｘは０または０より大きい整数であり；ｙは０または０より大きい整数であり；ｖは０または０より大きい整数であり；ｚは０より大きく；該Ｌ基が親水性連結である場合、Ｌは該親水性Ｍ基と同じでも異なっていてもよい。ただし、ｙとｖの両方はゼロでない］
【請求項２】
Ｌが、ポリエーテル含有基、結合、直鎖または分岐鎖Ｃ１−Ｃ３０アルキル基、Ｃ１−Ｃ３０フルオロアルキル基、Ｃ１−Ｃ２０エステル含有基、アルキルエーテル、シクロアルキルエーテル、シクロアルケニルエーテル、アリールエーテル、アリールアルキルエーテル、置換または非置換Ｃ１−Ｃ３０アルコキシ基、置換または非置換Ｃ３−Ｃ３０シクロアルキル基、置換または非置換Ｃ３−Ｃ３０シクロアルキルアルキル基、置換または非置換Ｃ３−Ｃ３０シクロアルケニル基、置換または非置換Ｃ５−Ｃ３０アリール基、置換または非置換Ｃ５−Ｃ３０アリールアルキル基、置換または非置換Ｃ５−Ｃ３０ヘテロアリール基、置換または非置換Ｃ３−Ｃ３０複素環式環、置換または非置換Ｃ４−Ｃ３０ヘテロシクロアルキル基、置換または非置換Ｃ６−Ｃ３０ヘテロアリールアルキル基、Ｃ５−Ｃ３０フルオロアリール基、ヒドロキシル置換アルキルエーテル、置換または非置換Ｃ３−Ｃ３０陽イオン性部分含有基、またはその２種以上の組み合わせを含み、
Ｑが、アクリラート含有ラジカル、メタクリラート含有ラジカル、アクリルアミド含有ラジカル、メタクリルアミド含有ラジカル、ビニル含有ラジカル、アリル含有ラジカル、メタリル含有ラジカル、スチレン含有ラジカル、内部オレフィン結合含有分子、またはその２種以上の組み合わせから選ばれ、
Ｎが、ポリエーテル含有基、結合、直鎖または分岐鎖Ｃ１−Ｃ３０アルキル基、Ｃ１−Ｃ３０フルオロアルキル基、Ｃ１−Ｃ２０エステル含有基、アルキルエーテル、シクロアルキルエーテル、シクロアルケニルエーテル、アリールエーテル、アリールアルキルエーテル、置換または非置換Ｃ１−Ｃ３０アルコキシ基、置換または非置換Ｃ３−Ｃ３０シクロアルキル基、置換または非置換Ｃ３−Ｃ３０シクロアルキルアルキル基、置換または非置換Ｃ３−Ｃ３０シクロアルケニル基、置換または非置換Ｃ５−Ｃ３０アリール基、置換または非置換Ｃ５−Ｃ３０アリールアルキル基、置換または非置換Ｃ５−Ｃ３０ヘテロアリール基、置換または非置換Ｃ３−Ｃ３０複素環式環、置換または非置換Ｃ４−Ｃ３０ヘテロシクロアルキル基、置換または非置換Ｃ６−Ｃ３０ヘテロアリールアルキル基、Ｃ５−Ｃ３０フルオロアリール基、ヒドロキシル置換アルキルエーテル、置換または非置換Ｃ３−Ｃ３０陽イオン性部分含有基、またはその２種以上の組み合わせから選ばれ、
Ｍが、ヒドロキシル置換低級アルキルアクリラートおよびメタクリラート、アクリルアミド、メタクリルアミド、低級アルキルアクリルアミドおよびメタクリルアミド、エトキシ化アクリラートおよびメタクリラート、ヒドロキシル置換低級アルキルアクリルアミドおよびメタクリルアミド、ヒドロキシル置換低級アルキルビニルエーテル、ビニルスルホン酸ナトリウム、スチレンスルホン酸ナトリウム、２−アクリルアミド−２−メチル−プロパンスルホン酸、ポリビニルアルコール（ＰＶＡ）、ポリアミド、ポリイミド、ポリラクトン、ビニルラクタムのホモポリマー、１種以上のビニル系コモノマーの存在下または非存在下での少なくとも１種のビニルラクタムのコポリマー、アクリルアミドのホモポリマー、メタクリルアミドのホモポリマー、１種以上の親水性ビニル系モノマーとのアクリルアミドのコポリマー、１種以上の親水性ビニル系モノマーとのコポリマーメタクリルアミド、ポリエチレンオキシド、ポリオキシエチレン誘導体、ポリ−Ｎ−−ジメチルアクリルアミド、ポリアクリル酸、ポリ−２−エチルオキサゾリン、ヘパリン多糖類、多糖類、合計３から５個の炭素原子を有するビニル型不飽和カルボン酸、アミノ低級アルキル（ここで用語「アミノ」は第四級アンモニウムも含む）、モノ低級アルキルアミノ低級アルキルおよびジ低級アルキルアミノ低級アルキルアクリラートおよびメタクリラート、アリルアルコールまたはその２種以上の組み合わせから選ばれる、請求項１に記載のマクロマー。
【請求項３】
Ｑが、ビニルカルボナート含有ラジカル、ビニルカルバマート含有ラジカル、ブテン二酸、ブテン二酸エステルもしくはアミド、イタコン酸、イタコン酸エステルもしくはアミドまたはその２種以上の組み合わせから選ばれる、請求項１に記載のマクロマー。
【請求項４】
Ｍがポリエチレングリコールを含み、Ｑがメタクリラート基である、請求項１〜３のいずれかに記載のマクロマー。
【請求項５】
ｚが１から約２００であり、ｘが０から約１０００であり、ｙが０から約２００である、請求項１〜４のいずれかに記載のマクロマー。
【請求項６】
ＮおよびＭが親水性基であり、ＭおよびＮが同じであってもよい、請求項１〜５のいずれかに記載のマクロマー。
【請求項７】
水溶性であり、以下の判定基準の少なくとも１つを満たす、請求項１〜６のいずれかに記載のマクロマー：
（ａ）水溶液中の１％の該マクロマーは、４００から６００ｎｍの間の波長で８０％以上の透過率を有する；
（ｂ）水溶液中の１０％の該マクロマーは、４００から６００ｎｍの間の波長で８０％以上の透過率を有する；
（ｃ）水溶液中の５０％の該マクロマーは、４００から６００ｎｍの間の波長で８０％以上の透過率を有する；および／または
（ｄ）水溶液中の１％の該マクロマーは３０℃を超える曇点を有する。
【請求項８】
１重量％の該マクロマーの水溶液が約１００ＮＴＵ以下の濁度を有する、請求項１に記載のマクロマー。
【請求項９】
請求項１〜７のいずれかに記載の該マクロマーを含むヒドロゲル形成組成物。
【請求項１０】
コモノマーをさらに含み、該コモノマーが、ＨＥＭＡ、ＮＶＰ、ＤＭＡ、メタクリル酸、グリセリンメタクリラートまたはその２種以上の組み合わせを含む、請求項９に記載のヒドロゲル形成組成物。
【請求項１１】
約０．１重量パーセントから約９９．９重量パーセントの該マクロマーを含む、請求項１０に記載のヒドロゲル形成組成物。
【請求項１２】
該組成物が約０．１から約９０重量パーセントの水を含む、請求項９〜１１のいずれかに記載のヒドロゲル形成組成物。
【請求項１３】
請求項９〜１２のいずれかに記載の該組成物から形成されたヒドロゲルであって、約１００°から約５°の水との接触角を有しており、任意選択で約１０重量％から約９０重量％の吸水率を有する、ヒドロゲル。
【請求項１４】
請求項１３に記載の該ヒドロゲルを含む物品であって、心臓弁、フィルム、外科装置、容器代用品、子宮内避妊器具、膜、ダイヤフラム、外科的インプラント、血管、および人工尿管、人工乳房組織、腎臓透析用の膜、または人工心肺用の膜、カテーテル、マウスガード、義歯ライナー、眼科用具、またはコンタクトレンズから選ばれる、物品。
【請求項１５】
内部湿潤剤または湿潤性架橋剤を含む物品であって、該内部湿潤剤および／または該湿潤性架橋剤が請求項１〜８のいずれかに記載の該マクロマーを含む物品。